(57)【要約】【課題】どのような銘柄の洗剤であっても、洗剤の量を過不足なく設定でき、適正な洗浄やすすぎを行うことを可能にできる洗濯機を提供する。【解決手段】この洗濯機によれば、使用する洗剤の銘柄を変更した場合に、この変更後の銘柄の洗剤に対応した基準水量とこの基準水量に対する基準洗剤量とを入力手段(３５,Ｓ６)で入力可能かつ表示手段(３５,Ｓ４)で表示可能なので、どのような銘柄の洗剤であっても、洗剤の量を過不足なく設定でき、適正な洗浄やすすぎを行うことができる。【選択図】図４
2014079327.tif 000002
【特許請求の範囲】
【請求項１】
基準水量とこの基準水量に対する基準洗剤量とを入力可能な第１の入力手段と、
上記第１の入力手段で直前に入力された上記基準水量と上記基準洗剤量とを表示する表示手段と、
使用する洗剤を変更したことを入力可能な第２の入力手段と
を備え、
上記第１の入力手段は、
上記第２の入力手段により使用する洗剤を変更したことが入力されたときに、上記変更した洗剤に対応した基準水量と基準洗剤量とを入力可能であることを特徴とする洗濯機。
【請求項２】
請求項１に記載の洗濯機において、
上記第１の入力手段によって入力された基準水量と基準洗剤量とに基づいて、洗い運転時の洗剤使用量を導出して表示する洗剤使用量導出表示手段を備えることを特徴とする洗濯機。
【請求項３】
請求項１または２に記載の洗濯機において、
上記洗剤使用量導出表示手段は、
上記第１の入力手段によって入力された基準水量と基準洗剤量とが特殊な洗剤に対応している場合に、導出した洗い運転時の洗剤使用量を予め設定された割合だけ減量して表示することを特徴とする洗濯機。
【請求項４】
請求項２または３に記載の洗濯機において、
上記洗剤使用量導出表示手段は、
検出された洗濯物の容量に応じた洗濯時に使用する水量に基づき、使用する洗剤に対応した基準水量と基準洗剤量とから洗剤使用量を導出して表示することを特徴とする洗濯機。
【発明の詳細な説明】
【技術分野】
【０００１】
この発明は、洗濯機に関する。
【背景技術】
【０００２】
従来、日本では、洗剤の主要な洗浄成分である臨界ミセル濃度(ＣＭＣ:Ｃritical Ｍicelle Ｃoncentration)を元に、例えば、「水３０リットルに対して洗剤２０ｇ」というように、水量に対して洗剤量を決めている。
【０００３】
しかし、近年、市販される洗剤が多種となり、前述した水量に対する洗剤量は、様々な値になってきた。
【０００４】
したがって、水量に対する洗剤量を固定し、洗濯物の重量に応じてのみ洗剤量を設定する従来のやり方では、洗剤の過不足が生じることとなる。
【０００５】
各洗濯機メーカーは、取扱説明書等に洗剤の銘柄別(洗剤メーカ、洗剤名等)の洗剤量を記載するなどして対応しているが、多種化する洗剤の種類を全て分かり易く記載することは難い。また、洗濯機を発売した後で発売された洗剤には対応することができない。
【０００６】
また、ユーザーにとっても、洗剤の銘柄に応じてその都度、取扱説明書で調べるという煩わしさがあった。
【０００７】
ここで、特許文献１(特開２００６−２５８２６号)では、使用する洗剤の銘柄を設定して、設定した洗剤の銘柄に応じて洗剤量を表示する洗濯機が記載されている。
【０００８】
しかし、上記洗濯機でも、毎年発売される新たな洗剤に対応する洗剤量を表示することには対応できないという問題がある。
【０００９】
また、取扱説明書も、毎年新たに発売される洗剤に関して記載することは難しく、その結果、多くのユーザーが洗剤を適正な量にすることができず、適当な量の洗剤を投入している。その結果、洗浄不足、すすぎ不足、さらには、すすぎ不足に起因する洗濯物の黒ずみ等の問題を抱えている。
【先行技術文献】
【特許文献】
【００１０】
【特許文献１】特開２００６−２５８２６号公報
【発明の概要】
【発明が解決しようとする課題】
【００１１】
そこで、この発明の課題は、どのような銘柄の洗剤であっても、洗剤の量を過不足なく設定でき、適正な洗浄やすすぎを行うことを可能にできる洗濯機を提供することにある。
【課題を解決するための手段】
【００１２】
上記課題を解決するため、この発明の洗濯機は、基準水量とこの基準水量に対する基準洗剤量とを入力可能な第１の入力手段と、
上記第１の入力手段で直前に入力された上記基準水量と上記基準洗剤量とを表示する表示手段と、
使用する洗剤を変更したことを入力可能な第２の入力手段と
を備え、
上記第１の入力手段は、
上記第２の入力手段により使用する洗剤を変更したことが入力されたときに、上記変更した洗剤に対応した基準水量と基準洗剤量とを入力可能であることを特徴としている。
【発明の効果】
【００１３】
この発明の洗濯機によれば、使用する洗剤の銘柄を変更した場合に、この変更後の銘柄の洗剤に対応した基準水量とこの基準水量に対する基準洗剤量とを入力可能かつ表示可能なので、どのような銘柄の洗剤であっても、洗剤の量を過不足なく設定でき、適正な洗浄やすすぎを行うことができる。
【図面の簡単な説明】
【００１４】
【図１】この発明の一実施形態のドラム式洗濯機の概略斜視図である。
【図２】上記ドラム式洗濯乾燥機の概略断面図である。
【図３】上記ドラム式洗濯乾燥機の制御ブロック図である。
【図４】上記ドラム式洗濯乾燥機の動作を説明するフローチャートである。
【図５】表示入力部による表示画面の一例(ステップＳ４)を示す図である。
【図６】表示入力部による表示画面の一例(ステップＳ６)を示す図である。
【発明を実施するための形態】
【００１５】
以下、この発明を図示の実施の形態により詳細に説明する。
【００１６】
図１は、この発明の一実施形態のドラム式洗濯乾燥機を斜め上方から見た概略図である。
【００１７】
上記ドラム式洗濯乾燥機は、外箱開口部６を前面部に有する外箱１を備えている。外箱１の前面部には、外箱開口部６を閉鎖するためのドア７をヒンジで左右方向に開閉可能に取り付けている。また、外箱１の前面部には、操作キーや表示部を有する操作部９を設けている。この操作部９の裏側(外箱１の内部側)には、ドラム式洗濯乾燥機の動作を制御する制御装置１１(図２参照)を配置している。
【００１８】
図２は、上記ドラム式洗濯乾燥機を側方から見た概略断面図である。
【００１９】
上記ドラム式洗濯乾燥機は、外箱１内に配置された有底筒形状の水槽２と、この水槽２内に回転可能に配置され、洗濯物を収容する有底円筒形状のドラム３と、水槽２の後部に取り付けられ、ドラム３を回転駆動するブラシレスモータ４と、水槽２の後部を弾性支持する２本のダンパ１２(図２では１本のみ図示)とを備えている。なお、ドラム３は回転槽の一例であり、ブラシレスモータ４は駆動装置の一例である。
【００２０】
上記外箱１の上面部の後部には給水口１０を設けている。この給水口１０は、図示しない給水ホースを介して水道の蛇口に接続される。また、給水口１０を外箱１内で給水弁１３の注入口に接続している。これにより、水道水が、給水ダクト１５と、図示を省略した洗剤ケースとを経由して、水槽２の上部から水槽２内に流入したり、あるいは、冷却水ダクト１４を流れて、水槽２の下部から水槽２内に流入したりすることが可能になっている。なお、給水弁１３は給水装置の一例である。
【００２１】
上記水槽２の前面部には、斜め上方を向いて外箱開口部６に対向する水槽開口部１６を設けている。この水槽開口部１６の開口縁は、筒状の接続部材１７を介して外箱開口部６の開口縁に接続されている。また、水槽開口部１６の開口縁には、ゴムや軟質樹脂等の弾性体から成るパッキン１８を固着している。これにより、ドア７を閉じると、ドア７がパッキン１８に密着して、水槽２内の液体が水槽２外へ漏れ出るのを防げるようになっている。また、排水モータ２３が排水弁２２を開放すると、水槽２内の液体は、排水ダクト１９、接続ケース２０および排水ホース２１を順次流れて外箱１外へ流れる。また、排水弁２２を閉鎖した状態で循環ポンプ２４を駆動すると、水槽２内の液体を水槽２外に出して、排水ダクト１９および循環ダクト２５を介して水槽２内に戻せるようになっている。また、接続ケース２０は糸屑フィルタ７０を収容している。
【００２２】
上記ドラム３は前側に対して後側が下がるように水平方向に対して傾斜するように配置されている。また、ドラム３の前面部には、外箱開口部６および水槽開口部１６に対向するドラム開口部２６を設けている。また、ドラム３の周壁には複数の小孔２７(図２では６個のみ図示)を全周にわたって設けている。また、ドラム３の周壁の内面には、半径方向内側に向かって突出する複数のバッフル２８(図２では１個のみ図示)を設けている。また、ドラム３のドラム開口部２６には液体バランサ２９を取り付けている。
【００２３】
上記ダンパ１２は、オイルが封入されたシリンダ部４２と、上端部がシリンダ部４２内に入ったピストンロッド４３とを有している。このピストンロッド４３の下端部は、弾性材(例えばＮＢＲ(ニトリルゴム))からなるダンパブッシュ４４を介してダンパ支持金具４５に取り付けられている。
【００２４】
また、このドラム式洗濯乾燥機は、洗濯物を乾燥させるためのヒートポンプユニット(図示せず)が水槽２の下方背面側に配置されている。このヒートポンプユニットは、乾燥運転には、洗濯物の水分を含んだ空気が回転するドラム３から導入され、上記水分を含んだ空気の除湿,加熱を行い乾燥した温風を上記ドラム３へ導入する。
【００２５】
図３は上記ドラム式洗濯機の制御ブロック図である。
【００２６】
上記制御装置１１は、マイクロコンピュータと入出力回路などからなり、ブラシレスモータ４,操作部９,給水弁１３,排水モータ２３,循環ポンプ２４が接続されている。この操作部９からの信号等に基づいて、制御装置１１は、ブラシレスモータ４,給水弁１３,排水モータ２３,循環ポンプ２４,表示入力部３５等を制御する。
【００２７】
上記操作部９は、図１に示すように、スタートキー３０と、電源ボタン３１と、「洗濯のみ」,「洗濯＋乾燥」,「乾燥のみ」等の動作を選択するためのボタン群３２と、動作状態,各種設定値,ユーザーへのメッセージ等を表示可能であると共にユーザーが各種情報を入力可能な表示入力部３５とを有する。この表示入力部３５は、例えば、タッチパネル等で構成される。
【００２８】
また、上記制御装置１１は、読み出し書き換え可能な不揮発性のメモリ４８とタイマー４９を有する。
【００２９】
図４は、上記ドラム式洗濯乾燥機の動作を説明するフローチャートである。
【００３０】
ステップＳ１で、電源ボタン３１を押すと、電源がオンされ、ステップＳ２で、ボタン群３２や表示入力部３５を操作することで、「洗濯のみ」,「洗濯＋乾燥」,「乾燥のみ」の各コースの選択や洗濯における洗い運転の条件や乾燥における乾燥条件等を設定することができる。
【００３１】
次に、ステップＳ３では、制御装置１１は、ボタン群３２の操作で選択された動作に「洗い運転」が含まれているか否かを判断し、「洗い運転」が含まれていると判断すると、ステップＳ４に進み、「洗い運転」が含まれていないと判断すると、例えば乾燥運転が選択されていれば、乾燥運転のための制御等が実行される。
【００３２】
ステップＳ４では、制御装置１１は、表示入力部３５に、洗剤銘柄と、この洗剤銘柄に対応する基準水量Ａ(リットル)と基準洗剤量Ｂ(グラム)とを表示すると共に、使用する洗剤の銘柄を変更したか否かの入力を促す画面を表示する。このステップＳ４での表示入力部３５の表示画面の一例を、図５に示す。図５に示す表示では、洗剤銘柄の部分に、前回使用した洗剤メーカーと洗剤名等が表示される。そして、その洗剤銘柄に応じた基準水量、基準洗剤量が同時に表示されている。また、今回の洗濯において洗剤が変更される場合、図５の表示でタッチキーの「はい」がキー操作され、その変更を入力するための表示が合わせて表示される。
【００３３】
上記基準水量Ａ(リットル)は、洗い運転時に洗濯槽に溜める基準水量を表し、上記基準洗剤量Ｂ(グラム)は上記基準水量Ａ(リットル)に対応した基準洗剤量Ｂ(グラム)を表している。上記基準水量Ａ(リットル)は、例えば、３０Ｌ(リットル)であり、上記基準洗剤量Ｂ(グラム)は、例えば、２０ｇ(グラム)である。
【００３４】
表示入力部３５に表示された上記基準水量Ａ(リットル)と基準洗剤量Ｂ(グラム)は、前回、表示入力部３５から入力され、メモリ４８に記憶されていたデータである。また、このメモリ４８には、予め、既存の複数の洗剤銘柄と、各洗剤銘柄に対応する基準水量Ａ(リットル)と基準洗剤量Ｂ(グラム)とが書き込まれている。したがって、表示入力部３５には、前回、表示入力部３５から入力されて、メモリ４８に書き込まれた基準水量Ａ(リットル)と基準洗剤量Ｂ(グラム)とが表示される。また、この基準水量Ａ(リットル)と基準洗剤量Ｂ(グラム)とに対応した洗剤銘柄を表示入力部３５に表示できる。
【００３５】
上記表示入力部３５とステップＳ４が、表示手段および第２の入力手段を構成している。
【００３６】
次に、ステップＳ５に進み、ユーザーにより使用する洗剤の種別を変更したことが表示入力部３５に入力された場合は、ステップＳ６に進み、ユーザーにより使用する洗剤の種別を変更していないことが表示入力部３５に入力された場合は、ステップＳ７に進む。
【００３７】
ステップＳ６では、制御装置１１は、表示入力部３５に、変更後の洗剤の銘柄に対応する基準水量Ａ(リットル)とこの基準水量Ａ(リットル)に対応した基準洗剤量Ｂ(グラム)の入力をユーザーに促す画面を表示する。そして、この画面に、ユーザーが、変更後の洗剤の銘柄に対応する基準水量Ａ(リットル)とこの水基準量Ａ(リットル)に対応した基準洗剤量Ｂ(グラム)を入力すると、ステップＳ７に進む。このステップＳ６が、第１の入力手段を構成している。このステップＳ６での表示入力部３５の表示画面の一例を、図６に示す。
【００３８】
図６に示す表示において、使用洗剤を変更する場合について説明する。図６の表示状態は、前回の使用洗剤、例えば、洗剤銘柄である洗剤メーカーＡの洗剤名ａに対応する基準水量(３０Ｌ)、基準洗剤量(２０グラム)が表示されている。使用する洗剤が、洗剤メーカーＡから洗剤メーカーＢに変更される場合、使用する洗剤名ｂに対応する基準水量および基準洗剤量を入力する操作を行う。上記洗剤名ｂに対応する基準水量および基準洗剤量は、洗剤外箱等に表記されており、例えば、基準水量３０Ｌ、基準洗剤量１８グラムを入力する操作を行う。この場合、基準水量については、前回の洗剤と同一の３０Ｌであり、変更操作は不要であるが、基準洗剤量については２０グラムから１８グラムに変更する必要がある。よって、基準洗剤量１８グラムを、「ＵＰ」,「ＤＯＷＮ」キー(タッチキー)を用いて入力する。すなわち、基準洗剤量を変更するために、「ＤＯＷＮ」キーを操作して基準洗剤量の表示内容を「１８」に設定し、「ＯＫ」キーを操作する。
【００３９】
これにより、変更した今回使用する洗剤に対応する基準水量と基準洗剤量がメモリ４９に記憶される。また、洗剤メーカーＢ、洗剤名ｂ等の洗剤銘柄については、図示していないが、その他のキーを用いて、例えば、アルファベットキーによるローマ字入力やひらがなキーによって入力される。この場合、洗剤銘柄としては洗剤名だけでもよく、洗剤メーカーも合わせて入力するようにしてもよい。
【００４０】
なお、洗剤メーカー、洗剤名(洗剤銘柄)については、メモリ４８に既に記憶されていれば、そのメモリ４８の内容を順次表示させるようにし、今回使用する洗剤銘柄と同一のものがあれば、その洗剤銘柄を選択操作(ＯＫキー等の操作)するようにしてもよい。この選択操作をした時、その洗剤銘柄に対応する基準水量、基準洗剤量が合わせて表示される。これにより、基準水量、基準洗剤量の入力操作を省くことができる。
【００４１】
また、洗剤銘柄としては、洗剤メーカーを入力する必要はない。つまり、洗剤名(洗剤の種類)は、洗剤メーカー独自に命名され、同一もの以外には同一名が使用されない。そのため、洗剤メーカーを入力することなく、洗剤名を洗剤銘柄として入力すればよい。
【００４２】
なお、このステップＳ６で、一例として上述のようにして入力された変更後の基準水量Ａ(リットル)とこの基準水量Ａ(リットル)に対応した基準洗剤量Ｂ(グラム)はメモリ４８に記憶され、後述するステップＳ９において、今回の「洗い運転」に対応する洗剤使用量を決定するのに用いられる。また、メモリ４８に記憶された上記変更後の基準水量Ａ(リットル)と基準洗剤量Ｂ(グラム)は、洗い運転を含んだ次回の洗濯運転を行う際に、ステップＳ４にて表示入力部３５に表示される。また、上記変更後の基準水量Ａ(リットル)と基準洗剤量Ｂ(グラム)が、メモリ４８に予め記憶された洗剤銘柄の基準水量Ａ(リットル)と基準洗剤量Ｂ(グラム)に対応している場合には、その洗剤銘柄が表示入力部３５に表示される。
【００４３】
ステップＳ７では、スタートキー３０が押されたか否かを判断し、スタートキー３０が押されたと判断したときに、ステップＳ８へ進む。
【００４４】
ステップＳ８では、ドラム３内に投入された洗濯物の容量を検出するための容量センシング動作が行われる。この容量センシング動作では、ドラム３に取り付けられた加速度センサ(図示せず)で、モータ４を駆動したときのドラム３の加速度を検出し、この検出した加速度に基づいて、制御装置１１に内蔵されたマイクロコンピュータ等で上記洗濯物の容量が検出される。
【００４５】
次に、ステップＳ９に進み、上記検出された洗濯物の容量と、先述のステップＳ４〜Ｓ６で決定した上記基準水量Ａ(リットル)と基準洗剤量Ｂ(グラム)とに基づいて、今回の「洗い運転」に対応する洗剤使用量を決定して、表示入力部３５に表示する。この洗剤使用量の表示は、専用カップで「１杯」あるいは「０.８杯」といった杯数で表示してもよいし、ｇ(グラム)数で表示してもよい。ステップＳ８,Ｓ９と表示入力部３５が洗剤使用量導出表示手段を構成している。
【００４６】
ステップＳ９において、ステップＳ８で検出した洗濯物の容量（重量）に基づき、使用する水量が決まる。その水量が３０Ｌであれば、投入する洗剤量としては、図５に示す例であれば、２０グラム（ｇ）の洗剤量が表示される。もし使用する水量が２７Ｌであれば、投入する洗剤量としては、１８グラム（ｇ）として表示される。その投入する洗剤量の算出は、基準水量と、基準洗剤量とに基づき、ステップＳ８により検出した洗濯物の容量から今回の使用する水量が決まることで、制御装置１１が行うことになる。
【００４７】
ユーザーは、図１に示す引き出し構造の洗剤投入部３７を引き出して、上記洗剤使用量の表示にしたがって、上記引き出した洗剤投入部３７に洗剤を投入した後、洗剤投入部３７を元の状態に押し込むことで、先述のステップＳ１での操作,設定に沿って、洗濯運転が開始される(ステップＳ１０)。
【００４８】
上記洗濯運転の洗い工程が開始されると、給水弁１３が開き、水道水が給水ダクト１５を流れる。これにより、水道水は、洗剤投入部３７から洗剤が導入された洗剤ケース(図示せず)内の洗剤を含んで洗い水となった後、水槽２内に流入する。このような水槽２への給水を、ドラム３内の水位が設定水位になるまで行う。次に、モータ４を駆動してドラム３の回転を開始し、ドラム３内の洗濯物をタンブリングさせて洗う洗いタンブリングを行う。また、この洗いタンブリングの後、排水モータ２３で排水弁２２を開いて、排水ダクト１９,排水ホース２１から排水する中間排水、シャワーすすぎ、ため/注水すすぎ等が、先述のステップＳ１での操作,設定に沿って実行される。
【００４９】
上述したように、この実施形態によれば、ステップＳ１において、ユーザーによって洗い運転を含んだ運転が選択された場合、ステップＳ４で、表示入力部３５に、前回の洗い運転時に使用した洗剤銘柄とこの洗剤銘柄に対応する水量Ａ(リットル)と洗剤量Ｂ(グラム)とが表示される。この表示により、ユーザーは、今回使用する洗剤銘柄が、前回使用した洗剤銘柄と同じであるか否かを知ることができる。
【００５０】
このステップＳ４では、表示入力部３５に、使用する洗剤が変わったか否かの入力を促す画面が表示されるので、ユーザーは、使用する洗剤が同じである場合には、使用する洗剤が同じであることを入力(図５に示すタッチキーの「いいえ」をキー操作)し、前回の水量Ａ(リットル)と洗剤量Ｂ(グラム)の入力状態のまま、スタートキー３０を押して洗濯を開始することができる。
【００５１】
一方、上記表示された洗剤銘柄が、今回使用する洗剤銘柄と異なっている場合には、ユーザーは、ステップＳ５で、使用する洗剤が変わったことを入力(図５に示すタッチキーの「はい」キーを操作)し、ステップＳ６で今回使用する洗剤銘柄、およびその洗剤銘柄に対応する水量Ａ(リットル)とこの水量Ａ(リットル)に対応した洗剤量Ｂ(グラム)を表示入力部３５にて入力することができる。ユーザーは、例えば、今回使用する洗剤銘柄の外箱に記載されている水量Ａ(リットル)とこの水量Ａ(リットル)に対応した洗剤量Ｂ(グラム)を表示入力部３５に入力する。
【００５２】
これにより、入力された変更後の洗剤銘柄、およびその洗剤銘柄に対応した水量Ａ(リットル)と洗剤量Ｂ(グラム)とがメモリ４８に記憶され、今回の「洗い運転」に対応する洗剤使用量を決定するのに用いられると共に、次回の洗い運転を含んだ洗濯運転を行う際に、表示入力部３５に表示される。
【００５３】
したがって、この実施形態によれば、どの様な銘柄の洗剤を使用する場合にも、使用する洗剤の銘柄に対応した基準水量Ａ(リットル)とこの基準水量Ａ(リットル)に対応した基準洗剤量Ｂ(グラム)に基づいて、今回の「洗い運転」に対応する投入する洗剤使用量を決定できる。よって、どのような銘柄の洗剤であっても、洗い運転で使用する洗剤の量を過不足なく設定でき、適正な洗浄やすすぎを行うことができる。
【００５４】
尚、上記実施形態では、ステップＳ６において、変更後の洗剤銘柄の基準水量Ａ(リットル)とこの基準水量Ａ(リットル)に対応した基準洗剤量Ｂ(グラム)の入力をユーザーに促す画面を表示したが、この基準水量Ａ(リットル)と基準洗剤量Ｂ(グラム)だけでなく、変更後の洗剤銘柄も入力できる画面を表示入力部３５に表示してもよい。この入力された洗剤銘柄は、上記基準水量Ａ(リットル)と基準洗剤量Ｂ(グラム)に対応してメモリ４８に記憶される。また、ステップＳ６において、表示入力部３５にて変更後の洗剤銘柄を入力することで、この変更後の洗剤銘柄、およびこの洗剤銘柄に対応する基準水量Ａ(リットル)とこの基準水量Ａ(リットル)に対応した基準洗剤量Ｂ(グラム)が表示される。この場合、この変更後の洗剤銘柄を表示入力部３５にて入力することで、上記変更後の基準水量Ａ(リットル)と基準洗剤量Ｂ(グラム)がステップＳ９で今回の「洗い運転」に対応する洗剤使用量を決定するのに用いられる。
【００５５】
以上の説明においては、使用する洗剤を、前回とは変更する場合、その洗剤名を含む洗剤銘柄、及び基準水量、基準洗剤量を入力するようにしている。しかし、洗剤銘柄の入力、またその洗剤銘柄の表示は特に必要はない。
【００５６】
つまり、ステップＳ５にて、使用する洗剤が変更される場合、その都度ステップＳ６にて変更入力を行うようにしている。そのため、使用する洗剤が変更されるまでは、前回使用の洗剤に対応する基準水量、基準洗剤量が表示され、変更がない場合には今回の洗剤に対応する基準水量、基準洗剤量での対応がなされている。
【００５７】
また、使用する洗剤を変更する場合、新製品の洗剤であっても、その洗剤外箱等に表記されている基準水量、基準洗剤量を入力すればよく、それに対応する洗濯時に必要となる洗剤量の表示が行われる。そのため、ユーザーの負担を軽減できるだけでなく、常に最適な洗剤量にて洗濯を実行できる。
【００５８】
また、今回の「洗い運転」で使用される洗剤銘柄に対応する基準水量Ａ(リットル)とこの基準水量Ａ(リットル)に対応した基準洗剤量Ｂ(グラム)が特殊な洗剤例えば、特に泡立ちやすい洗剤である場合には、ステップＳ９では、他の洗剤と同様にして算出した洗剤使用量に修正係数として０.８を乗算した値を、今回の「洗い運転」に対応する洗剤使用量として決定して、表示入力部３５に表示してもよい。この場合、「洗い運転」において、泡が異常に多く発生する現象を回避し、タンブリングさせて洗う場合のたたき洗い効果が減少しないようにして、洗浄能力を向上できる。ここで、上記ステップＳ９が洗剤量導出手段を構成する。なお、上記修正係数は、特殊な洗剤に応じて、０.８以外の０.９や０.７に設定してもよい。この係数の入力についても、図６に示す表示状態において行うようにすればよい。
【００５９】
本発明の具体的な実施形態について説明したが、本発明は上記実施形態に限定されるものではなく、本発明の範囲内で種々変更して実施することができる。例えば、本発明は、乾燥機能を有さないドラム式洗濯機、ドラム式洗濯乾燥機、乾燥機能を有さない縦型洗濯機、縦型洗濯乾燥機などといったあらゆるタイプの洗濯機に適用できる。
【符号の説明】
【００６０】
１  外箱
２  水槽
３  ドラム
４  ブラシレスモータ
６  外箱開口部
７  ドア
９  操作部
１０  給水口
１１  制御装置
１２  ダンパ
１３  給水弁
１４  冷却水ダクト
１５  給水ダクト
１６  水槽開口部
１７  接続部材
１８  パッキン
１９  排水ダクト
２０  接続ケース
２１  排水ホース
２２  排水弁
２３  排水モータ
２４  循環ポンプ
３０  スタートキー
３１  電源ボタン
３２  ボタン群
３５  表示入力部
４８  メモリ
４９  タイマー
【図１】
2014079327.tif 000003
【図２】
2014079327.tif 000004
【図３】
2014079327.tif 000005
【図４】
2014079327.tif 000006
【図５】
2014079327.tif 000007
【図６】
2014079327.tif 000008